(57)【要約】【課題】設置現場に対応した（設置する収納庫に対応した大きさの）台輪を簡単に得る。【解決手段】前板１８は、前板素材（図示略）の左部及び下部の「切除しろ」（図示略）を切除することにより現場において製造される。左部の「切除しろ」は、図示の前板１８の左右長さの３０パーセント程度の長さを有している。換言すれば、前板素材の左右長さは、図示の前板１８の左右長さの１．３倍の長さを有している。下部の「切除しろ」は、図示の前板１８の上下長さの３０パーセント程度の長さを有している。換言すれば、前板素材の上下長さは、図示の前板１８の上下長さの１．３倍の長さを有している。【選択図】  図２
2004344382.tif 000002
【特許請求の範囲】
【請求項１】
上部の後部に上板素材の縁部が嵌まる段落ち部を有する前板素材と、上部の前部に上板素材の縁部が嵌まる段落ち部を有する後板素材と、上部の内側部に上板素材の縁部が嵌まる段落ち部を有する左右の側板素材と、上板素材と、前板素材、後板素材、左右の側板素材及び上板素材を連結する所要個の連結具とを有し、前記前板素材及び後板素材は、下部及び左右部の一方に切除しろを有しており、左右の側板素材は下部及び後部に切除しろを有しており、上板素材は隣接する２縁部に切除しろを有している収納庫用の台輪構成材。
【発明の詳細な説明】
【０００１】
【発明の属する技術分野】
本発明はノックダウン式の、収納庫用の台輪構成材に関する。
【０００２】
【従来の技術】
従来、この種の台輪構成材として以下の如きものは知られている。
所要部にだぼ連結のためのだぼ孔を有する前板と、所要部にだぼ連結のためのだぼ孔を有する後板と、所要部にだぼ連結のためのだぼ孔を有する左右の側板と、前板、後板、左右の側板を連結する所要個のだぼとを有するものは知られている。
【０００３】
【従来技術の欠点】
前記従来の台輪構成材には以下の如き欠点があった。
従来の台輪構成材の前板、後板、左右の側板は、所要部にだぼ孔を有するものであったため、設置現場において設置現場の状況変化などに対応して切除することは出来なかった。即ち、前板、後板、左右の側板を切除すると、ほとんどの場合、だぼ孔を有する部分を切除することになるからである。
【０００４】
【前記欠点を解消するための手段】
本発明は前記欠点を解消するために以下の如き手段を採用した。
請求項１の発明は、上部の後部に上板素材の縁部が嵌まる段落ち部を有する前板素材と、上部の前部に上板素材の縁部が嵌まる段落ち部を有する後板素材と、上部の内側部に上板素材の縁部が嵌まる段落ち部を有する左右の側板素材と、上板素材と、前板素材、後板素材、左右の側板素材及び上板素材を連結する所要個の連結具とを有し、前記前板素材及び後板素材は、下部及び左右部の一方に切除しろを有しており、左右の側板素材は下部及び後部に切除しろを有しており、上板素材は隣接する２縁部に切除しろを有しているものである。
【０００５】
【発明の効果】
本発明は前記した如き構成によって以下の如き効果を奏する。
請求項１の発明によれば、設置現場に対応して、前板素材、後板素材、左右の側板素材及び上板素材の切除しろの一部又は全部を切除して、前板、後板、左右の側板及び上板を製造し、それらを連結具で連結することにより、設置現場に対応した（設置する収納庫に対応した大きさの）台輪を簡単に得ることが出来る。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
部屋１はダイニングルーム２と台所３とを有している。そして、ダイニングルーム２側と台所３側とが仕切り壁体８によって仕切られている。
【０００８】
前記仕切り壁体８は、床５から立上がり形成された、腰壁状の立上がり壁９と、天井４から垂下状に設けられた垂下壁１０と、立上がり壁９の右部と垂下壁１０の右部とに渡るつなぎ壁１１とを有している。前記立上がり壁９の左部と垂下壁１０の左部との間に開口１２が形成されている。
【０００９】
前記立上がり壁９の上部にダイニングルーム２側に張り出すようにしてカウンター１４が固定され、このカウンター１４の下方の床５に台輪１５が設置され、この台輪１５に収納庫１７が載置・固定されている。なお、収納庫１７の上面はカウンター１４の下面に密接し、また、収納庫１７の後面は立上がり壁９に密接している。
【００１０】
前記台輪１５は、上部の後部に後述の上板２１の縁部が嵌まる段落ち部２３を有する前板１８と、上部の前部に上板２１の縁部が嵌まる段落ち部２３を有する後板１９と、上部の内側部に上板２１の縁部が嵌まる段落ち部２３を有する左右の側板２０と、前板１８、後板１９及び左右の側板２０とからなる枠体の上部の段落ち部２３に嵌められた上板２１と、前板１８と後板１９とを繋ぐ所要枚の補強板２２とを有している。
【００１１】
相互に隣接する前板１８、後板１９、左右の側板２０及び補強板２２は連結具２５により連結されている。連結具２５は、断面Ｌ字状の連結片２６と、連結片２６に形成された貫通孔を通じて前板１８等にねじ嵌められたねじ２７とにより構成されている。
【００１２】
上板２１はくぎ等の連結具（図示略）により前板１８、後板１９及び左右の側板２０に固定されている。また、収納庫１７の底板１６はくぎ（図示略）により上板２１に固定されている。
【００１３】
図２において明らかなごとく、後板１９は、左右の側板２０の前後方向中間部に渡されている。
【００１４】
前記左右の側板２０の前部の上部（段落ち部２３を形成した後において残った立ち上がり部）には、前板１８の段落ち部２３に嵌まる突部２９（図３参照）が前方突出状に連設されている。
【００１５】
前記前板１８は、前板素材（図示略）の左部及び下部の「切除しろ」（図示略）を所定量（全部又は一部）だけ、この実施の形態では全部を、切除することにより現場において製造される。左部の「切除しろ」は、図示の前板１８の左右長さの３０パーセント程度の左右長さを有している。換言すれば、前板素材の左右長さは、図示の前板１８の左右長さの１．３倍の長さを有している。下部の「切除しろ」は、図示の前板１８の上下長さの３０パーセント程度の上下長さを有している。換言すれば、前板素材の上下長さは、図示の前板１８の上下長さの１．３倍の長さを有している。
【００１６】
前記後板１９は、後板素材（図示略）の左部及び下部の「切除しろ」（図示略）を切除することにより現場において製造される。左部の「切除しろ」は、図示の後板１９の左右長さの３０パーセント程度の左右長さを有している。下部の「切除しろ」は、図示の後板１９の上下長さの３０パーセント程度の上下長さを有している。
【００１７】
前記左右の側板２０は、左右の側板素材（図示略）の後部及び下部の「切除しろ」（図示略）を切除することにより現場において製造される。後部の「切除しろ」は、図示の左右の側板２０の前後長さの３０パーセント程度の前後長さを有している。下部の「切除しろ」は、図示の左右の側板２０の上下長さの３０パーセント程度の上下長さを有している。
【００１８】
前記補強板２２は、補強板素材（図示略）の後部及び下部の「切除しろ」（図示略）を切除することにより現場において製造される。後部の「切除しろ」は、図示の補強板２２の前後長さの３０パーセント程度の前後長さを有している。下部の「切除しろ」は、図示の補強板２２の上下長さの３０パーセント程度の上下長さを有している。
【００１９】
前記台所３の床５には、立上がり壁９に密接するようにして、加熱調理器を有する流し台（図示略）が設置されている。
【００２０】
【変形例等】
以下に変形例等について説明を加える。
（１）収納庫１７の設置位置は任意である。
（２）「切除しろ」の内、切除されずに残った部分は、前板・後板・左右の側板・上板を構成することになることは、云うまでもない。また、設置場所によっては、「切除しろ」を全く切除せずに、前板素材・後板素材・左右の側板素材・上板素材を、前板・後板・左右の側板・上板とすることも当然ある。
（３）前板素材及び後板素材の左部の「切除しろ」を、右部に設けるようにしてもよい。
（４）上板素材の後部の「切除しろ」を、前部に設けるようにしてもよい。また、上板素材の左部の「切除しろ」を、右部に設けるようにしてもよい。
（５）補強板素材の後部の「切除しろ」を、前部に設けるようにしてもよい。
（６）左右の側板素材の前部等の切除されない部分に、ねじをねじ嵌めるための孔等の所定の加工を施しておくことにより、組み立ての効率化を図ることが出来る。
（７）「切除しろ」の長さは任意に設定出来る。
【図面の簡単な説明】
【図１】本発明の実施の形態を示す簡略正面図である。
【図２】図１のＩＩ−ＩＩ線に沿う拡大断面図である。
【図３】図１のＩＩＩ−ＩＩＩ線に沿う中間省略の拡大断面図である。
【符号の説明】
１５  台輪
１８  前板
１９  後板
２０  左右の側板
２１  上板
２５  連結具
【図１】
2004344382.tif 000003
【図２】
2004344382.tif 000004
【図３】
2004344382.tif 000005